(57)【要約】【課題】本発明は、弾性体に接触した液晶表示パネルを元の位置に戻りやすくして表示ムラの発生を減らすことを目的としている。【解決手段】液晶表示装置は、立設された液晶表示パネル１２と、液晶表示パネル１２の下端を支持する支持フレーム２４と、液晶表示パネル１２の表示面１０とは反対の面に対向する弾性体２６と、を有する。支持フレーム２４は、少なくとも弾性体２６の下方に、斜め上方を向いて液晶表示パネル１２に対向する傾斜面２８を有する。液晶表示パネル１２は、弾性体２６を押圧する方向に移動したときに傾斜面２８上で支持され、自重によって傾斜面２８を滑り降りる力が加えられる。【選択図】図２
2010204357.tif 000002
【特許請求の範囲】
【請求項１】
立設された液晶表示パネルと、
前記液晶表示パネルの下端を支持する支持フレームと、
前記液晶表示パネルの表示面とは反対の面に対向する弾性体と、
を有し、
前記支持フレームは、少なくとも前記弾性体の下方に、斜め上方を向いて前記液晶表示パネルに対向する傾斜面を有し、
前記液晶表示パネルは、前記弾性体を押圧する方向に移動したときに前記傾斜面上で支持され、自重によって前記傾斜面を滑り降りる力が加えられることを特徴とする液晶表示装置。
【請求項２】
請求項１に記載された液晶表示装置において、
前記支持フレームは、前記傾斜面の下端から水平に延びる水平面を有し、
前記液晶表示パネルは、前記弾性体とは非接触のときに前記水平面で支持されていることを特徴とする液晶表示装置。
【請求項３】
請求項１又は２に記載された液晶表示装置において、
前記傾斜面は、凹曲面になっていることを特徴とする液晶表示装置。
【請求項４】
立設された液晶表示パネルと、
前記液晶表示パネルの下端を支持する支持フレームと、
前記液晶表示パネルの表示面とは反対の面に対向する弾性体と、
を有し、
前記支持フレームは、複数の凸部を有し、前記複数の凸部のみで前記液晶表示パネルの前記下端を支持し、
それぞれの前記凸部は、前記液晶表示パネルの前記下端に、前記液晶表示パネルの厚み方向の直線に沿って線接触するか又は点接触することを特徴とする液晶表示装置。
【請求項５】
立設された液晶表示パネルと、
前記液晶表示パネルの下端を支持する支持フレームと、
前記液晶表示パネルの表示面とは反対の面に対向する弾性体と、
を有し、
前記液晶表示パネルは、液晶を挟む一対の基板と、前記一対の基板の端部に設けられたカバーと、を含み、
前記カバーは、前記液晶表示パネルの前記下端よりも滑らかな表面を有し、
前記支持フレームは、前記一対の基板に接触しないように、前記カバーに接触することを特徴とする液晶表示装置。
【請求項６】
請求項５に記載された液晶表示装置において、
前記カバーは、前記支持フレームとの接触面が曲面になっていることを特徴とする液晶表示装置。
【発明の詳細な説明】
【技術分野】
【０００１】
本発明は、液晶表示装置に関する。
【背景技術】
【０００２】
液晶表示パネルの下端が支持フレームによって支えられる構造が知られている（特許文献１）。また、液晶表示パネルの表裏面に対向するように弾性体を設けて、液晶表示パネルの位置決めが図られている（特許文献２）。弾性体が液晶表示パネルに接触すると表示に影響を与えるため、弾性体と液晶表示パネルとの間には間隔があいているが、液晶表示パネルを押さえると液晶表示パネルは弾性体に接触し、表示ムラが生じる。
【先行技術文献】
【特許文献】
【０００３】
【特許文献１】特開２００１−８３９０１号公報
【特許文献２】特開２００５−２７５１０３号公報
【発明の概要】
【発明が解決しようとする課題】
【０００４】
通常であれば、弾性体の弾性力によって液晶表示パネルは押し戻されるが、液晶表示パネルの下端が支持フレームに引っかかって戻りにくいことがあった。
【０００５】
本発明は、弾性体に接触した液晶表示パネルを元の位置に戻りやすくして表示ムラの発生を減らすことを目的としている。
【課題を解決するための手段】
【０００６】
（１）本発明に係る液晶表示装置は、立設された液晶表示パネルと、前記液晶表示パネルの下端を支持する支持フレームと、前記液晶表示パネルの表示面とは反対の面に対向する弾性体と、を有し、前記支持フレームは、少なくとも前記弾性体の下方に、斜め上方を向いて前記液晶表示パネルに対向する傾斜面を有し、前記液晶表示パネルは、前記弾性体を押圧する方向に移動したときに前記傾斜面上で支持され、自重によって前記傾斜面を滑り降りる力が加えられることを特徴とする。本発明によれば、液晶表示パネルは、弾性体に接触しても、自重によって傾斜面を滑り降りるときに弾性体から離れる。したがって、弾性体に接触した液晶表示パネルを元の位置に戻りやすくして表示ムラの発生を減らすことができる。
【０００７】
（２）（１）に記載された液晶表示装置において、前記支持フレームは、前記傾斜面の下端から水平に延びる水平面を有し、前記液晶表示パネルは、前記弾性体とは非接触のときに前記水平面で支持されていることを特徴としてもよい。
【０００８】
（３）（１）又は（２）に記載された液晶表示装置において、前記傾斜面は、凹曲面になっていることを特徴としてもよい。
【０００９】
（４）本発明に係る液晶表示装置は、立設された液晶表示パネルと、前記液晶表示パネルの下端を支持する支持フレームと、前記液晶表示パネルの表示面とは反対の面に対向する弾性体と、を有し、前記支持フレームは、複数の凸部を有し、前記複数の凸部のみで前記液晶表示パネルの前記下端を支持し、それぞれの前記凸部は、前記液晶表示パネルの前記下端に、前記液晶表示パネルの厚み方向の直線に沿って線接触するか又は点接触することを特徴とする。本発明によれば、液晶表示パネルと支持フレームは、線又は点で接触するので、摩擦が小さくなっている。したがって、弾性体に接触した液晶表示パネルを元の位置に戻りやすくして表示ムラの発生を減らすことができる。
【００１０】
（５）本発明に係る液晶表示装置は、立設された液晶表示パネルと、前記液晶表示パネルの下端を支持する支持フレームと、前記液晶表示パネルの表示面とは反対の面に対向する弾性体と、を有し、前記液晶表示パネルは、液晶を挟む一対の基板と、前記一対の基板の端部に設けられたカバーと、を含み、前記カバーは、前記液晶表示パネルの前記下端よりも滑らかな表面を有し、前記支持フレームは、前記一対の基板に接触しないように、前記カバーに接触することを特徴とする。本発明によれば、液晶表示パネルと支持フレームの間に、滑らかな表面を有するカバーが介在するので、摩擦を小さくすることができる。したがって、弾性体に接触した液晶表示パネルを元の位置に戻りやすくして表示ムラの発生を減らすことができる。
【００１１】
（６）（５）に記載された液晶表示装置において、前記カバーは、前記支持フレームとの接触面が曲面になっていることを特徴としてもよい。
【図面の簡単な説明】
【００１２】
【図１】本発明の第１の実施の形態に係る液晶表示装置の一部を示す分解斜視図である。
【図２】本発明の第１の実施の形態に係る液晶表示装置の一部を示す斜視図である。
【図３】支持フレームの一部を示す斜視図である。
【図４】弾性体を押圧する方向に移動した液晶表示パネルの動作を説明する図である。
【図５】本発明の第１の実施の形態に係る液晶表示装置の変形例の一部を示す斜視図である。
【図６】図５に示す支持フレームの一部を示す斜視図である。
【図７】本発明の第２の実施の形態に係る液晶表示装置の一部を示す斜視図である。
【図８】本発明の第２の実施の形態に係る液晶表示装置の変形例の一部を示す斜視図である。
【図９】本発明の第２の実施の形態に係る液晶表示装置の他の変形例の一部を示す斜視図である。
【図１０】本発明の第３の実施の形態に係る液晶表示装置の一部を示す斜視図である。
【図１１】本発明の第３の実施の形態に係る液晶表示装置の変形例の一部を示す斜視図である。
【発明を実施するための形態】
【００１３】
以下、本発明の実施の形態について、図面を参照して説明する。
【００１４】
［第１の実施の形態］
図１は、本発明の第１の実施の形態に係る液晶表示装置の一部を示す分解斜視図である。図２は、本発明の第１の実施の形態に係る液晶表示装置の一部を示す斜視図である。
【００１５】
液晶表示装置は、表示領域を含む表示面１０を立てて配置された液晶表示パネル１２を有する。液晶表示パネル１２は、一対の基板１４を有する。基板１４は、例えばガラス基板であって、光透過性を有する。一対の基板１４は、間隔をあけて対向するように配置されている。一方の基板１４は、図示しない着色層を有するカラーフィルタ基板であり、他方の基板１４は、図示しないＴＦＴ（Thin Film Transistor）が形成されたＴＦＴ基板である。基板１４には偏光板１６が貼り付けられている。
【００１６】
一対の基板１４は、例えばエポキシ樹脂からなる図示しないシール材によって端部同士が固定されている。一対の基板１４の間のシール材にて囲まれた空間に液晶１８が封入されている。液晶１８の駆動方式は、IPS（In Plane Switching）方式、TN（Twisted Nematic）方式又はVA（Vertical Alignment）方式などいずれの方式であってもよく、方式に応じた電極及び配線（図示せず）が形成されている。
【００１７】
基板１４は、大型マザーガラス基板を切断して得られる。切断は、スクライブ及びブレークによって行われるため、基板１４の端面は平滑にはなっておらずバリがある。また、一対の基板１４の端面がずれて固定されることもある。したがって、液晶表示パネル１２の端部は、他の部材に引っ掛かりやすい形状になっている。
【００１８】
液晶表示パネル１２は、上フレーム２０を有する。上フレーム２０は、液晶表示パネル１２の表示面１０に間隔をあけて対向し、枠の内側に表示領域が配置される。上フレーム２０には、液晶表示パネル１２と対向するように、クッション２２が設けられている。クッション２２は、その柔軟性から、液晶表示パネル１２に接触しても与える衝撃は小さい。
【００１９】
液晶表示パネル１２の下端は、支持フレーム２４によって支持されている（重さが支えられている）。支持フレーム２４には弾性体２６が設けられている。弾性体２６は、液晶表示パネル１２の表示面１０とは反対の面に対向している。弾性体２６とクッション２２の間に液晶表示パネル１２が配置されている。弾性体２６と液晶表示パネル１２との間又はクッション２２と液晶表示パネル１２との間の少なくとも一方には隙間が常に形成される。こうすることで、少なくとも液晶表示パネル１２を、表示面１０及びその反対面から挟むように押さえることはない。
【００２０】
図３は、支持フレームの一部を示す斜視図である。支持フレーム２４は、樹脂のモールド成形品であるため、モールドフレームともよばれる。支持フレーム２４は、少なくとも弾性体２６の下方に、斜め上方を向いて液晶表示パネル１２に対向する傾斜面２８を有する。本実施の形態では、傾斜面２８が弾性体２６よりも大きい。つまり、鉛直方向に見ると、弾性体２６の厚さ方向の上端から、傾斜面２８の一部がはみ出すようになっている。
【００２１】
支持フレーム２４は、傾斜面２８の下端から水平に延びる水平面３０を有する。液晶表示パネル１２は、弾性体２６とは非接触のときに、あるいは弾性体２６と接触しているとしても表示に影響を与えないときは、水平面３０で支持される。水平面３０は、液晶表示パネル１２の下端全体を支持してもよいが、下端の一部のみを支持してもよい。その場合、液晶表示パネル１２の下端の他の部分は、浮いた状態となる。
【００２２】
傾斜面２８は、水平面３０から連続的に形成されている。水平面３０が液晶表示パネル１２の下端の一部のみを支持するように形成されている場合、これに対応して、傾斜面２８も液晶表示パネル１２の下端の一部のみを支持する。こうすることで、液晶表示パネル１２と支持フレーム２４との摩擦を減らすことができる。
【００２３】
液晶表示パネル１２に対して表示面１０に直交する方向に力が加えられていないときには、弾性体２６は液晶表示パネル１２に接触していないか、接触しているとしても表示に影響を与えるほどの押圧力が加えられていない。この状態で、液晶表示パネル１２の下端は水平面３０に支持されており、液晶表示パネル１２には、表示面１０に直交する方向に力が加えられない限り、その方向には移動しない。
【００２４】
図４は、弾性体を押圧する方向に移動した液晶表示パネルの動作を説明する図である。液晶表示パネル１２に対して表示面１０に直交する方向に力が加えられると、弾性体２６が液晶表示パネル１２を押圧するので、液晶表示パネル１２の表示に影響を与える。ここで、弾性体２６の下方には傾斜面２８があるため、表示に影響を与えるほど液晶表示パネル１２が弾性体２６に押圧されると、あるいは、液晶表示パネル１２が少しでも弾性体２６に接触すると、液晶表示パネル１２は傾斜面２８にて支持される。そして、液晶表示パネル１２は傾斜面２８に沿って持ち上がる。そうすると、液晶表示パネル１２には、自重によって傾斜面２８を滑り降りる力が加えられる。この力は、鉛直方向の力と、水平方向の力の合力である。したがって、液晶表示パネル１２には、自重によって、水平方向であって弾性体２６から離れる方向の力が加えられる。これにより、弾性体２６に接触した液晶表示パネル１２を元の位置に戻りやすくして表示ムラの発生を減らすことができる。
【００２５】
液晶表示装置は、図２に示すように、下フレーム３２を有し、上フレーム２０と下フレーム３２の間に液晶表示パネル１２が配置されている。さらに、液晶表示装置は、拡散板３４及び光学シート３６を有する。本実施の形態に係る液晶表示装置のその他の内容は、公知の液晶表示装置の内容が該当する。また、液晶表示装置の製造方法は、上述した構成から自明のプロセス及び公知のプロセスを含む。
【００２６】
［変形例］
図５は、本発明の第１の実施の形態に係る液晶表示装置の変形例の一部を示す斜視図である。図６は、図５に示す支持フレームの一部を示す斜視図である。
【００２７】
上述した図２に示す例では、支持フレーム２４の傾斜面２８は、傾いた平坦面であったのに対して、図５に示す例では、支持フレーム１２４の傾斜面１２８は、凹曲面になっている。詳しくは、傾斜面１２８は、下から上に向かうに従って傾斜角度が徐々に急になるように変化する面である。それ以外の内容は、上記実施の形態で説明した内容が該当する。
【００２８】
［第２の実施の形態］
図７は、本発明の第２の実施の形態に係る液晶表示装置の一部を示す斜視図である。
【００２９】
本実施の形態では、支持フレーム２２４は、傾斜面を有さず、複数の凸部２３６を有する点で第１の実施の形態と相違する。複数の凸部２３６は、液晶表示パネル１２の下端に対向する。複数の凸部２３６のみで液晶表示パネル１２の下端を支持する。つまり、液晶表示パネル１２の下端は、凸部２３６との接触部を除いて浮いた状態になっている。
【００３０】
凸部２３６は、円柱を柱面の母線に平行な面で切断した形状で、柱面が上を向くようになっている。柱面の母線は水平に位置し、液晶表示パネル１２の厚み方向と平行になっている。そして、最も高い位置の母線上に液晶表示パネル１２の下端が載っている。凸部２３６は、液晶表示パネル１２の下端に、液晶表示パネル１２の厚み方向の直線に沿って線接触する。
【００３１】
本実施の形態によれば、液晶表示パネル１２と支持フレーム２２４は、線接触するので、摩擦が小さくなっている。したがって、弾性体２６に接触した液晶表示パネル１２を元の位置に戻りやすくして表示ムラの発生を減らすことができる。その他の構造は、第１の実施の形態で説明した内容が該当する。
【００３２】
［変形例］
図８は、本発明の第２の実施の形態に係る液晶表示装置の変形例の一部を示す斜視図である。この変形例では、凸部３３６の形状が図７の凸部２３６と異なっている。すなわち、図８において、凸部３３６は、三角柱であり、その三角柱の底面となる三角形の頂点と交わる母線が、最も高い位置にくるように形成されている。また、柱面の母線は水平に位置し、液晶表示パネル１２の厚み方向と平行になっている。そして、最も高い位置の母線上に液晶表示パネル１２の下端が載っている。凸部３３６は、液晶表示パネル１２の下端に、液晶表示パネル１２の厚み方向の直線に沿って線接触する。その他の構造は、第２の実施の形態で説明した内容が該当する。
【００３３】
図９は、本発明の第２の実施の形態に係る液晶表示装置の他の変形例の一部を示す斜視図である。この変形例でも、凸部４３６の形状が図７の凸部２３６と異なっている。すなわち、図９において、凸部４３６は、球の一部（球冠）の形状であり、球面上の一点が最も高い位置にくるように形成されている。そして、最も高い位置の点上に液晶表示パネル１２の下端が載っている。凸部４３６は、液晶表示パネル１２の下端に点接触する。その他の構造は、第２の実施の形態で説明した内容が該当する。
【００３４】
［第３の実施の形態］
図１０は、本発明の第３の実施の形態に係る液晶表示装置の一部を示す斜視図である。
【００３５】
本実施の形態では、支持フレーム５２４は、傾斜面及び凸部のいずれも有していない点で第１及び第２の実施の形態と相違する。
【００３６】
本実施の形態では、液晶表示パネル１２の一対の基板１４の端部に、ゴムや樹脂からなるカバー５３８が設けられている。カバー５３８の凹部に液晶表示パネル１２の下端がはめ込まれている。あるいは、液晶表示パネル１２の下端に樹脂を塗布することでカバー５３８を形成してもよい。カバー５３８は、液晶表示パネル１２の下端の全体に設けてもよいが、一部のみに設けてもよい。
【００３７】
支持フレーム５２４は、一対の基板１４に接触しないように、カバー５３８に接触する。液晶表示パネル１２は、カバー５３８を介して支持フレーム５２４に支持される。カバー５３８を液晶表示パネル１２の下端の一部のみに設けた場合、カバー５３８が設けられない部分は浮いた状態になっている。
【００３８】
カバー５３８は、支持フレーム５２４と対向する下面の厚み（液晶表示パネル１２の厚みと平行方向の幅）が、上面の厚み（液晶表示パネル１２の厚みと平行方向の幅）よりも大きくなっており、下方に向けて末広がりの形状である。あるいは、カバー５３８の下面と上面の厚みが同じであってもよい。
【００３９】
カバー５３８は、液晶表示パネル１２の下端よりも滑らかな表面を有している。液晶表示パネル１２と支持フレーム５２４の間に、滑らかな表面を有するカバー５３８が介在するので、摩擦を小さくすることができる。あるいは、カバー５３８と支持フレーム５２４との摩擦が、液晶表示パネル１２と支持フレーム５２４との摩擦よりも大きいとしても、ゴム又は樹脂からなるカバー５３８の柔軟性のために、カバー５３８が支持フレーム５２４に引っかかることはなくなる。したがって、弾性体２６に接触した液晶表示パネル１２を元の位置に戻りやすくして表示ムラの発生を減らすことができる。その他の構造は、第１又は第２の実施の形態で説明した内容が該当する。
【００４０】
［変形例］
図１１は、本発明の第３の実施の形態に係る液晶表示装置の変形例の一部を示す斜視図である。この変形例では、カバー６３８は、支持フレーム５２４との接触面が曲面になっている。そのため、カバー６３８と支持フレーム５２４は線接触する。詳しくは、液晶表示装置の下端の延びる方向と平行な線を以てカバー６３８と支持フレーム５２４は接触する。
【００４１】
したがって、図１０に示すカバー５３８と比べて、図１１に示すカバー６３８は、支持フレーム５２４との接触面積が小さいので摩擦が小さくなっており、液晶表示パネル１２が元の位置に戻りやすい。その他の構造は、第３の実施の形態で説明した内容が該当する。
【００４２】
本発明は、上述した実施の形態に限定されるものではなく種々の変形が可能である。例えば、実施の形態で説明した構成は、実質的に同一の構成、同一の作用効果を奏する構成又は同一の目的を達成することができる構成で置き換えることができる。
【符号の説明】
【００４３】
１０  表示面、１２  液晶表示パネル、１４  基板、１６  偏光板、１８  液晶、２０  上フレーム、２２  クッション、２４  支持フレーム、２６  弾性体、２８  傾斜面、３０  水平面、３２  下フレーム、３４  拡散板、３６  光学シート、１２４  支持フレーム、１２８  傾斜面、２２４  支持フレーム、２３６  凸部、３３６  凸部、４３６  凸部、５２４  支持フレーム、５３８  カバー、６３８  カバー。
【図１】
2010204357.tif 000003
【図２】
2010204357.tif 000004
【図３】
2010204357.tif 000005
【図４】
2010204357.tif 000006
【図５】
2010204357.tif 000007
【図６】
2010204357.tif 000008
【図７】
2010204357.tif 000009
【図８】
2010204357.tif 000010
【図９】
2010204357.tif 000011
【図１０】
2010204357.tif 000012
【図１１】
2010204357.tif 000013